(57)【特許請求の範囲】
【請求項１】
取付基部と、この取付基部から互いに前方に延びる一方の辺及び他方の薄肉辺と、上記一方の辺の遊端に形成したフック部と、上記一方の辺のフック部と上記他方の辺の先端間に形成したエアコン吹き出し口のルーバー挿入口と、上記一方の辺と他方の辺を取り囲み、これらに沿って上記フック部に離接する方向に移動可能な上記一方の辺に対する他方の辺の離間防止リングとより成り、上記一方の辺にねじが形成されており、上記リングがこのねじに螺合するナットであることを特徴とするエアコン吹き出し口のルーバーに対する物品取付具。
【請求項２】
取付基部と、この取付基部から互いに前方に延びる一方の辺及び他方の薄肉辺と、上記一方の辺の遊端に形成したフック部と、上記一方の辺のフック部と上記他方の辺の先端間に形成したエアコン吹き出し口のルーバー挿入口と、上記一方の辺と他方の辺を取り囲み、これらに沿って上記フック部に離接する方向に移動可能な上記一方の辺に対する他方の辺の離間防止リングと、このリングによって駆動され、上記一方及び他方の辺間を移動される抑え具とより成ることを特徴とするエアコン吹き出し口のルーバーに対する物品取付具。
【請求項３】
上記一方の辺にねじが形成されており、上記リングがこのねじに螺合するナットであることを特徴とする請求項２記載のエアコン吹き出し口のルーバーに対する物品取付具。
【請求項４】
上記一方の辺に対する上記リングの回り止め具を有することを特徴とする請求項１，２または３記載のエアコン吹き出し口のルーバーに対する物品取付具。
【請求項５】
上記リングがその外周にギザを有し、上記回り止め具が上記リングの内周面と上記一方の辺の間の間隙に介挿された一端部と、上記リングを取り囲む他端部と、この他端部内面に形成した、上記リングのギザに噛合する突起とより成ることを特徴とする請求項４記載のエアコン吹き出し口のルーバーに対する物品取付具。
【請求項６】
上記リングがその外周にギザを有し、上記回り止め具が、上記抑え具に連結された一端部と、上記リングを取り囲む他端部と、この他端部内面に形成した、上記リングのギザに噛合する突起とより成ることを特徴とする請求項４記載のエアコン吹き出し口のルーバーに対する物品取付具。
【発明の詳細な説明】
【０００１】
【発明の属する技術分野】
本発明はエアコン吹き出し口のルーバーに対する物品、例えば被冷暖物ホルダーの取付具、特に、自動車等のエアコン吹き出し口にドリンクホルダー等の被冷暖物ホルダーを取り付けるための被冷暖物ホルダー取付具に関するものである。
【０００２】
【従来の技術】
従来、物品、例えばドリンクホルダーを自動車等のエアコン吹き出し口のルーバーに取り付け、吹き出し口より放出される冷気または暖気によってドリンクホルダー内のドリンク容器の温度を制御するようにしたものは例えば実開平６−９０９号公報や実開平６−５０９６７号公報に示されている。
【０００３】
【発明が解決しようとする課題】
然しながら、上記従来のものでは、ドリンクホルダーに設けた金属性のクリップによってエアコン吹き出し口のルーバーを上下からまたは前後から挟み、ドリンクホルダーを固定する構成のものであり、その固定が確実でない欠点があった。
【０００４】
本発明は上記の欠点を除くようにしたものである。
【０００５】
【課題を解決するための手段】
本発明のエアコン吹き出し口のルーバーに対する物品取付具は、取付基部と、この取付基部から互いに前方に延びる一方の辺及び他方の薄肉辺と、上記一方の辺の遊端に形成したフック部と、上記一方の辺のフック部と上記他方の辺の先端間に形成したエアコン吹き出し口のルーバー挿入口と、上記一方の辺と他方の辺を取り囲み、これらに沿って上記フック部に離接する方向に移動可能な上記一方の辺に対する他方の辺の離間防止リングとより成り、上記一方の辺にねじが形成されており、上記リングがこのねじに螺合するナットであることを特徴とする。
【０００６】
また、本発明のエアコン吹き出し口のルーバーに対する物品取付具では、取付基部と、この取付基部から互いに前方に延びる一方の辺及び他方の薄肉辺と、上記一方の辺の遊端に形成したフック部と、上記一方の辺のフック部と上記他方の辺の先端間に形成したエアコン吹き出し口のルーバー挿入口と、上記一方の辺と他方の辺を取り囲み、これらに沿って上記フック部に離接する方向に移動可能な上記一方の辺に対する他方の辺の離間防止リングと、このリングによって駆動され、上記一方及び他方の辺間を移動される抑え具とより成ることを特徴とする。
【０００９】
更に、本発明のエアコン吹き出し口のルーバーに対する物品取付具では、上記一方の辺に対する上記リングの回り止め具を有する。
【００１０】
また、本発明のエアコン吹き出し口のルーバーに対する物品取付具では、上記リングがその外周にギザを有し、上記回り止め具が上記リングの内周面と上記一方の辺の間の間隙に介挿された一端部と、上記リングを取り囲む他端部と、この他端部内面に形成した、上記リングのギザに噛合する突起とより成る。
【００１１】
また、本発明のエアコン吹き出し口のルーバーに対する物品取付具では、上記リングがその外周にギザを有し、上記回り止め具が、上記抑え具に連結された一端部と、上記リングを取り囲む他端部と、この他端部内面に形成した、上記リングのギザに噛合する突起とより成る。
【００１２】
【発明の実施の形態】
以下図面によって本発明の実施例を説明する。
【００１３】
図１〜図５において、１は前面に空気取入口を設けた有底ホルダー本体、２は上記ホルダー本体１の上面開口部を制限するため、上記ホルダー本体１の前部上面に上下に回動自在に取り付けられた水平板状の制限部片、３は上記ホルダー本体１の底面に互いに噛合するギザ（図示せず）等により係合し、底面に形成した溝内に摺動自在ならしめて、上記底部前面からの突出距離を調節できるようにした当板、４は上記ホルダー本体１の前面開口部を自動車のエアコン吹き出し口に取り付けるための本発明の物品取付具である。
【００１４】
本発明における物品取付具４の第１の実施例においては、図６，図７に示すように棒状の取付基部５と、この取付基部５の先端から互いに離間した状態で対向して前方に延びる一方の辺６ａと、他方の薄肉辺６ｂと、上記一方の辺６ａの遊端に形成されたフック部７と、上記フック部７の折り曲がり先端と上記他方の薄肉辺６ｂの先端間に形成したエアコン吹き出し口のルーバー挿入口６ｃとを有する。
【００１５】
また、上記他方の薄肉辺６ｂの先端には上記一方の辺６ａから離間する方向に斜め前方に延びる傾斜部分８を形成し、上記取付基部５には上記軸方向と直角方向に延びる溝９を形成し、上記取付基部５の大きさは、上記ホルダー本体１の前面に形成された孔１０のうち、大きな孔１０ａに嵌合自在な大きさとし、上記溝９の大きさは上記大きな孔１０ａに連なる細長い小さな孔１０ｂに嵌合自在な大きさならしめる。
【００１６】
更に、上記一方の辺６ａの両側面にはねじ１１を形成し、上記一方の辺６ａ及び他方の辺６ｂを取り囲むナット１２を上記ねじ１１に螺合せしめる。
【００１７】
本発明の物品取付具は上記のような構成であるから、上記物品取付具４をホルダー本体１へ取り付ける場合には、ホルダー本体１の孔１０の大きな孔１０ａ内に上記物品取付具４の取付基部５を挿入し、これを小さな孔１０ｂの方向に移動し、この小さな孔１０ｂ内に上記取付基部５の溝９を嵌合せしめる。
【００１８】
この状態では、上記物品取付具４は上記ホルダー本体１に対し取り付けられ、且つその横方向位置が細長い小さな孔１０ｂに沿って調節できるようになる。
【００１９】
また、上記物品取付具４をエアコン吹き出し口１３のルーバー１４に固定せしめる場合には、図８に示すように上記ナット１２を上記取付基部５側に位置せしめた状態でエアコン吹き出し口１３のルーバー１４の端面に上記物品取付具４の他方の薄肉辺６ｂの傾斜部分８を当て押し込むと上記他方の薄肉辺６ｂが上記一方の辺６ａから離間する方向に撓み、さらに押し込むと上記ルーバー１４が上記ルーバー挿入口６ｃから上記辺６ａと辺６ｂとの間に入り込み、上記辺６ｂの弾性と上記フック部７により上記ルーバー１４に上記物品取付具４が固定されるようになる。
【００２０】
また、この状態で、上記ナット１２を回して図９に鎖線で示すように上記一方の辺６ａの遊端側に移動せしめれば他方の辺６ｂがみだりに開いて上記ルーバー挿入口６ｃの広がることを阻止できるようになる。
【００２１】
更に、上記当板３を上記取付具４から外部に引き出し、吹き出し口１３の端面にその外端面を対接せしめるようにすれば、ホルダー本体１を傾斜している吹き出し口１３に対して水平に固定することができるようになる。
【００２２】
なお、上記ホルダー本体１は、例えば合成樹脂でモールド成形されるが、金属により形成せしめてもよく、また、上記傾斜部分８は設けなくてもよい。
【００２３】
本発明の第２の実施例においては図１０，図１１に示すように、一端１５ａが上記ナット１２の上部内周面と上記一方の辺６ａの上面間の間隙に介挿され、他端１５ｂが上記ナット１２の上部外周を取り囲み、この部分に形成した突起１５ｃが上記ナット１２の外周面に形成したギザ１６に噛合するようになる回り止め具１５を設ける。
【００２４】
この実施例によればナット１２の回動が回り止め具１５によって抵抗されるようになるため、ナット１２がみだりに移動するむおそれがない。
【００２５】
本発明の第３の実施例においては、図１２〜図１４に示すように上記一方の辺６ａと他方の辺６ｂ間に形成される間隙１７内を摺動自在な抑え具１８を設け、この抑え具１８の基端側と上記ナット１２の外周面間を連結部材１９によって連結せしめ、ナット１２が軸方向に移動した場合上記抑え具１８が連結部材１９を介して一体に移動し、上記抑え具１８と上記一方の辺６ａのフック部７とによってルーバー１４を保持できるようにする。
【００２６】
本発明のこの実施例によればルーバー１４の幅が種々変わってもこれを確実に保持できるようになる。
【００２７】
なお、本発明のこの実施例においては、図１５，図１６に示すように上記連結部材１９の内面に上記ナット１２のギザ１６に噛合する突起１９ａを設けることによって本発明の第２の実施例における回り止め具１５を兼用せしめることができる。
【００２８】
本発明の第４の実施例においては、図１７〜図１９に示すように、上記各実施例におけるナット１２を用いず、上記一方の辺６ａの両側と、必要に応じて他方の辺６ｂの下面に軸方向に互いに離間して軸と直交して延びる複数の溝部２０を形成し、上記一方及び他方の辺を取り囲んで上記溝部２０の任意のものに弾性リング２１を係合せしめる。
【００２９】
本発明のこの実施例によれば、弾性リング２１によって上記他方の辺６ｂの開かれるのが防止されると共に、上記弾性リング２１の前方側面をルーバー１４の前方側面に接する位置とすることによってルーバー１４の幅の大小にかかわらず、ルーバー１４に対する物品取付具４の固定を一層確実ならしめることができる。なお、上記溝部２０は省略しても良い。
【００３０】
【発明の効果】
上記のように本発明の物品取付具によれば、ルーバーに押し込むことにより簡単にルーバーに取付けでき、且つ、ルーバーの幅の大小にかかわらず確実に固定できる物品取付具が得られる大きな利益がある。
【図面の簡単な説明】
【図１】本発明の物品取付具を設けたドリンクホルダーの側面図である。
【図２】図１に示すドリンクホルダーの平面図である。
【図３】図１に示すドリンクホルダーの正面図である。
【図４】図１に示すドリンクホルダーの底面図である。
【図５】本発明の物品取付具を除いたドリンクホルダーの正面図である。
【図６】本発明の物品取付具の第１の実施例を示す側面図である。
【図７】図６に示す物品取付具の縦断正面図である。
【図８】本発明の物品取付具をエアコン吹き出し口に取り付けた状態の説明用側面図である。
【図９】本発明の物品取付具の動作説明用側面図である。
【図１０】本発明の物品取付具の第２の実施例を示す側面図である。
【図１１】図１０に示す物品取付具の縦断正面図である。
【図１２】本発明の物品取付具の第３の実施例を示す側面図である。
【図１３】図１２に示す物品取付具の縦断側面図である。
【図１４】図１２に示す物品取付具の縦断正面図である。
【図１５】図１２に示す物品取付具の変形を示す側面図である。
【図１６】図１５に示す物品取付具の縦断正面図である。
【図１７】本発明の物品取付具の第４の実施例を示す側面図である。
【図１８】図１７に示す物品取付具の底面図である。
【図１９】図１７に示す物品取付具の縦断正面図である。
【符号の説明】
１  ホルダー本体
２  制限部片
３  当板
４  物品取付具
５  取付基部
６ａ  一方の辺
６ｂ  他方の薄肉辺
６ｃ  ルーバー挿入口
７  フック部
８  傾斜部分
９  溝
１０  孔
１０ａ  大きな孔
１０ｂ  小さな孔
１１  ねじ
１２  ナット
１３  エアコン吹き出し口
１４  ルーバー
１５  回り止め具
１５ａ  一端
１５ｂ  他端
１５ｃ  突起
１６  ギザ
１７  間隙
１８  抑え具
１９  連結部材
１９ａ  突起
２０  溝部
２１  弾性リング
【図１】
0004056098.tif 000002
【図２】
0004056098.tif 000003
【図３】
0004056098.tif 000004
【図４】
0004056098.tif 000005
【図５】
0004056098.tif 000006
【図６】
0004056098.tif 000007
【図７】
0004056098.tif 000008
【図８】
0004056098.tif 000009
【図９】
0004056098.tif 000010
【図１０】
0004056098.tif 000011
【図１１】
0004056098.tif 000012
【図１２】
0004056098.tif 000013
【図１３】
0004056098.tif 000014
【図１４】
0004056098.tif 000015
【図１５】
0004056098.tif 000016
【図１６】
0004056098.tif 000017
【図１７】
0004056098.tif 000018
【図１８】
0004056098.tif 000019
【図１９】
0004056098.tif 000020